(57)【要約】【課題】  ネットワーク上の通信装置を管理する通信システムにおいて、通信断の度に発生するネットワークの輻輳を軽減する。【解決手段】  本発明による管理装置は、ネットワーク上の通信装置を管理する管理装置であって、前記管理装置は、前記通信装置の管理状態に変化が発生するごとに前記通信装置から受信するシーケンス番号を記憶するシーケンス番号記憶手段と、前記通信装置との通信が切断された後、再度通信可能となった場合に、前記シーケンス番号の送信を前記通信装置に対して要求する送信要求手段と、前記通信装置から受信した前記シーケンス番号を、通信切断前に前記記憶手段に記憶したシーケンス番号と照合するシーケンス番号照合手段と、前記照合結果に基づいて、前記通信装置との間で前記通信装置の管理状態の同期を行うかどうか判断する同期手段と、を備えることを特徴とする。【選択図】      図１
2012257039.tif 000002
【特許請求の範囲】
【請求項１】
ネットワーク上の通信装置を管理する管理装置であって、
前記管理装置は、
前記通信装置の管理状態に変化が発生するごとに前記通信装置から受信するシーケンス番号を記憶するシーケンス番号記憶手段と、
前記通信装置との通信が切断された後、再度通信可能となった場合に、前記シーケンス番号の送信を前記通信装置に対して要求する送信要求手段と、
前記通信装置から受信した前記シーケンス番号を、通信切断前に前記記憶手段に記憶したシーケンス番号と照合するシーケンス番号照合手段と、
前記照合結果に基づいて、前記通信装置との間で前記通信装置の管理状態の同期を行うかどうか判断する同期手段と、
を備えることを特徴とする管理装置。
【請求項２】
前記同期手段は、
前記照合の結果、前記シーケンス番号に変化がない場合には、前記通信装置の管理状態を、保持していた管理状態に戻すことを特徴とする請求項１に記載の管理装置。
【請求項３】
前記同期手段は、
前記照合の結果、前記シーケンス番号に変化があった場合には、前記通信装置との同期を行い、前記通信装置の管理状態を更新することを特徴とする請求項１または２に記載の管理装置。
【請求項４】
前記管理装置は、さらに、
前記通信装置との通信が切断された後、再度通信可能となった場合に、前記シーケンス番号の送信要求を行っている前記通信装置を、他の通信装置との識別ができるように表示する表示手段を備えることを特徴とする請求項１から４のいずれか１つに記載の管理装置。
【請求項５】
ネットワーク上の通信装置と、前記ネットワークを介して前記通信装置を管理する管理装置とを備え、
前記管理装置は、
前記通信装置の管理状態に変化が発生するごとに前記通信装置から受信するシーケンス番号を記憶するシーケンス番号記憶手段と、
前記通信装置との通信が切断された後、再度通信可能となった場合に、前記シーケンス番号の送信を前記通信装置に対して要求する送信要求手段と、
前記通信装置から受信した前記シーケンス番号を、通信切断前に前記記憶手段に記憶したシーケンス番号と照合するシーケンス番号照合手段と、
前記照合結果に基づいて、前記通信装置との間で前記通信装置の管理状態の同期を行うかどうか判断する同期手段と、
を備えることを特徴とする通信システム。
【請求項６】
前記同期手段は、
前記照合の結果、前記シーケンス番号に変化がない場合には、前記通信装置の管理状態を、保持していた管理状態に戻すことを特徴とする請求項５に記載の通信システム。
【請求項７】
前記同期手段は、
前記照合の結果、前記シーケンス番号に変化があった場合には、前記通信装置との同期を行い、前記通信装置の管理状態を更新することを特徴とする請求項５または６に記載の通信システム。
【請求項８】
前記管理装置は、さらに、
前記通信装置との通信が切断された後、再度通信可能となった場合に、前記シーケンス番号の送信要求を行っている前記通信装置を、他の通信装置との識別ができるように表示する表示手段を備えることを特徴とする請求項５から７のいずれか１つに記載の通信システム。
【請求項９】
前記通信装置は、
前記通信装置の状態が変化した場合に、前記管理装置に対して前記シーケンス番号を送信するシーケンス番号送信手段を備えることを特徴とする請求項５から８のいずれか１つに記載の通信システム。
【請求項１０】
ネットワークを介して管理する通信装置の管理状態に変化が発生するごとに前記通信装置から受信するシーケンス番号を記憶するシーケンス番号記憶ステップと、
前記通信装置との通信が切断された後、再度通信可能となった場合に、前記シーケンス番号の送信を前記通信装置に対して要求する送信要求ステップと、
前記通信装置から受信した前記シーケンス番号を、通信切断前に前記記憶したシーケンス番号と照合するシーケンス番号照合ステップと、
前記照合結果に基づいて、前記通信装置との間で前記通信装置の管理状態の同期を行うかどうか判断する同期ステップと、
を含むことを特徴とする通信方法。
【発明の詳細な説明】
【技術分野】
【０００１】
本発明は、ネットワーク上の通信装置を管理する管理装置、または管理装置を含む通信システム、および通信方法に関する。
【背景技術】
【０００２】
ネットワーク上の通信装置を管理するネットワーク管理システムでは、管理装置と通信装置との間の通信に、ＳＮＭＰ（Ｓｉｍｐｌｅ  Ｎｅｔｗｏｒｋ  Ｍａｎａｇｅｍｅｎｔ  Ｐｒｏｔｏｃｏｌ）というプロトコルがよく利用される。
【０００３】
ＳＮＭＰを用いたネットワークでは、通信装置は、ネットワーク上で障害を始めとする状態変化（イベント）が発生すると、管理装置に向けてイベントが起こったことを通知する。ＳＮＭＰでは、この通知をＴｒａｐという。
【０００４】
このようなネットワークにおいて、何らかの原因で、管理装置と管理対象装置の間の通信が不能となった場合に、管理装置は通信装置の状態変化を知ることができなくなる。従って、通信が復旧した際に、通信装置の状態と管理状態を同期する必要がある。
【０００５】
特許文献１には、Ｔｒａｐにシーケンス番号を付与することが記載されている。管理装置は、受信したＴｒａｐのシーケンス番号が連続していない場合には、Ｔｒａｐの損失があったと判断する。管理装置は、最後に受信したＴｒａｐの受信時刻から一定時間が経過しているか判断する。一定時間が経過している場合に、管理装置は、該当する通信装置に対して問い合わせを行う。
【先行技術文献】
【特許文献】
【０００６】
【特許文献１】特開２００３−２４４１４２号公報
【発明の概要】
【発明が解決しようとする課題】
【０００７】
特許文献１に記載の技術においては、Ｔｒａｐの最終受信時刻から一定時間が経過した通信装置に対して、問い合わせを行っていた。
【０００８】
一般的に、このような問い合わせの際、管理対象となる通信装置との通信が復旧した際に、管理装置は、通信装置の持つ全管理オブジェクトに対して情報取得要求パケットを送信する。その際、管理装置から情報取得要求パケットが送信されるだけでなく、それぞれの情報取得要求パケットに対する応答パケットが各通信装置から送信される。
【０００９】
従って、通信装置や管理オブジェクトの個数によっては、ネットワークがパケットで溢れる恐れがある。よって、管理装置が正常にネットワーク上の通信装置を監視することができなくなる可能性がある。また、通信装置の全管理オブジェクトの数が多いほど、管理装置の管理状態と通信装置の状態の同期に時間がかかり、オペレータがスムーズな作業ができない問題も発生する。
【００１０】
本発明の目的は、上述した課題を解決することが可能な、管理装置、通信システムおよび通信方法を提供することにある。
【課題を解決するための手段】
【００１１】
本発明による管理装置は、ネットワーク上の通信装置を管理する管理装置であって、前記管理装置は、前記通信装置の管理状態に変化が発生するごとに前記通信装置から受信するシーケンス番号を記憶するシーケンス番号記憶手段と、前記通信装置との通信が切断された後、再度通信可能となった場合に、前記シーケンス番号の送信を前記通信装置に対して要求する送信要求手段と、前記通信装置から受信した前記シーケンス番号を、通信切断前に前記記憶手段に記憶したシーケンス番号と照合するシーケンス番号照合手段と、前記照合結果に基づいて、前記通信装置との間で前記通信装置の管理状態の同期を行うかどうか判断する同期手段と、を備えることを特徴とする。
【００１２】
本発明による通信システムは、ネットワーク上の通信装置と、前記ネットワークを介して前記通信装置を管理する管理装置とを備え、前記管理装置は、前記通信装置の管理状態に変化が発生するごとに前記通信装置から受信するシーケンス番号を記憶するシーケンス番号記憶手段と、前記通信装置との通信が切断された後、再度通信可能となった場合に、前記シーケンス番号の送信を前記通信装置に対して要求する送信要求手段と、前記通信装置から受信した前記シーケンス番号を、通信切断前に前記記憶手段に記憶したシーケンス番号と照合するシーケンス番号照合手段と、前記照合結果に基づいて、前記通信装置との間で前記通信装置の管理状態の同期を行うかどうか判断する同期手段と、を備えることを特徴とする。
【００１３】
本発明による通信方法は、ネットワークを介して管理する通信装置の管理状態に変化が発生するごとに前記通信装置から受信するシーケンス番号を記憶するシーケンス番号記憶ステップと、前記通信装置との通信が切断された後、再度通信可能となった場合に、前記シーケンス番号の送信を前記通信装置に対して要求する送信要求ステップと、前記通信装置から受信した前記シーケンス番号を、通信切断前に前記記憶したシーケンス番号と照合するシーケンス番号照合ステップと、前記照合結果に基づいて、前記通信装置との間で前記通信装置の管理状態の同期を行うかどうか判断する同期ステップと、を含むことを特徴とする。
【発明の効果】
【００１４】
通信が一時的に切断した後に復旧した通信装置と同期を取る回数を削減することができ、通信断の度に発生するネットワークの輻輳を軽減することが可能となる。
【図面の簡単な説明】
【００１５】
【図１】第１の実施形態による管理装置の構成を示す図である。
【図２】第１の実施形態による動作を示すフローチャートである。
【図３】第２の実施形態による通信システムの構成を示す図である。
【図４】第２の実施形態による管理サーバの構成を示す図である。
【図５】第２の実施形態による通信装置の構成を示す図である。
【図６】第２の実施形態の動作概要を示す図である。
【図７】第２の実施形態による動作を示すシーケンスチャートである。
【図８】第２の実施形態による動作を示すフローチャートである。
【図９】第３の実施形態による表示手段の例を示す図である。
【発明を実施するための形態】
【００１６】
以降、本発明の実施形態について、図面を参照して詳細に説明する。
【００１７】
＜第１の実施形態＞
まず、本発明の第１の実施形態について説明する。
【００１８】
（構成）
図１は、第１の実施形態による管理装置１０００の構成を示している。図１によれば、管理装置１０００は、送信要求手段１００１、シーケンス番号記憶手段１００２、シーケンス番号照合手段１００３、同期手段１００４を備えている。また、管理装置１０００は、通信装置１１００とネットワークを介して接続している。なお、通信装置１１００は、管理装置１０００によって管理対象となっている通信装置である。
【００１９】
（動作）
次に、第１の実施形態の動作について、図２を参照して説明する。
【００２０】
管理装置１０００と、通信装置１１００とは、一度通信が切断された後、再度通信が可能になったものとする。
【００２１】
まず、送信要求手段１００１は、通信装置１１００との通信が切断された後、再度通信可能となった場合に、シーケンス番号の送信要求を通信装置１１００に対して行う（Ｓ１００１）。
【００２２】
なお、このシーケンス番号とは、通信装置１１００が、通信装置１１００の管理状態に変化が発生するごとに、管理装置１０００に対して送信するメッセージに含まれるシーケンス番号である。
【００２３】
続いて、シーケンス番号照合手段１００３は、通信装置１１００から受信したシーケンス番号を、通信切断前にシーケンス番号記憶手段１００２に記憶したシーケンス番号と照合する（Ｓ１００２）。
【００２４】
最後に、同期手段１００４は、Ｓ１００２での照合の結果に基づいて、通信装置１１００との間で、通信装置１１００の管理状態の同期を行うかどうかを判断する（Ｓ１００３）。
【００２５】
（効果）
第１の実施形態によれば、管理装置は、通信再開後に通信装置から受信するシーケンス番号の照合を行い、照合結果に基づいて通信装置との管理状態の同期を行うかどうか判断する。
【００２６】
上記の動作により、通信再開後に、通信装置との管理状態の同期が必要かどうかを判断することができる。従って、通信装置との同期の回数を削減することが可能となり、通信断の度に発生するネットワークの輻輳を軽減することが可能となる。
【００２７】
＜第２の実施形態＞
次に、本発明の第２の実施形態について説明する。
【００２８】
（概要）
図３は、第２の実施形態による通信システムの構成を示している。図３によれば、第２の実施形態による通信システムは、管理サーバ１００、通信装置１１０、通信装置１２０、通信装置１３０、通信装置１４０、通信装置１５０、通信装置１６０を備えている。
【００２９】
管理サーバ１００と各通信装置は、それぞれ図３に示すようにネットワークを介して接続している。図３において、実線で接続されている箇所は有線によって接続されているものとする。また、有線接続されていない箇所、例えば、通信装置１１０と通信装置１２０との間は、無線ネットワークを介して接続されているものとする。
【００３０】
図３に示す通信システムの概要について説明する。まず、管理サーバ１００は、ネットワーク上の通信装置の情報を取得し、管理する。管理サーバ１００は、管理する通信装置の状態を画面上に表示させることも可能である。
【００３１】
各通信装置は、自身の管理オブジェクトに対する状態変化を検知すると、管理サーバにシーケンス番号を付加したＴｒａｐを送信する。この管理オブジェクトとしては、例えば、通信装置のＭＩＢ（Ｍａｎａｇｅｍｅｎｔ  Ｉｎｆｏｒｍａｔｉｏｎ  Ｂａｓｅ）で管理されている情報が挙げられる。
【００３２】
管理サーバ１００は、Ｔｒａｐで通知されたオブジェクトの状態を画面表示に反映させる。同時に、通知されたシーケンス番号を保持する。
【００３３】
通信回線状況が悪化する等、何らかの理由で管理サーバ１００が一時的に装置と通信ができなくなった場合には、管理サーバ１００は通信ができない通信装置の監視状態を保持し続け、当該通信装置を監視不可状態として管理する。
【００３４】
（管理サーバの構成）
以下、図４を参照して管理サーバ１００の構成について説明する。
【００３５】
図４によれば、管理サーバ１００は、送信要求手段１０１、シーケンス番号記憶手段１０２、シーケンス番号照合手段１０３、同期手段１０４、表示手段１０５、通信Ｉ／Ｆ（インタフェース）１０６を備えている。また、管理サーバ１００は、通信Ｉ／Ｆ１０６を介して通信装置１１０と接続している。
【００３６】
送信要求手段１０１は、通信装置１１０または通信装置１１０よりも後段にある通信装置との通信が切断した後、復旧した際に、通信装置１１０に対して、シーケンス番号を送信するように要求する。
【００３７】
シーケンス番号記憶手段１０２は、通信装置１１０から受信するＴｒａｐに含まれるシーケンス番号を記憶する。
【００３８】
シーケンス番号照合手段１０３は、通信装置１１０から受信するＴｒａｐに含まれるシーケンス番号が、シーケンス番号記憶手段１０２に記憶した番号から変化しているかどうかを照合する。
【００３９】
同期手段１０４は、シーケンス番号の照合結果に基づいて、通信が切断していた通信装置との管理状態の同期が必要かどうかを判断する。また、同期が必要だと判断された場合には、該当する通信装置との同期を行う。
【００４０】
表示手段１０５は、管理サーバ１１０が管理する各通信装置の状態を画面上等に表示する。
【００４１】
通信Ｉ／Ｆ１０６は、管理サーバ１００内の各機能と通信装置１１０との通信を行う。
【００４２】
（通信装置の構成）
続いて、通信装置の構成について、図５を参照して説明する。図５では、通信装置１１０について説明するが、他の通信装置も同様の構成である。
【００４３】
図５によれば、通信装置１１０は、シーケンス番号送信手段１１１と通信Ｉ／Ｆ１１２を備える。また、通信装置１１０は、管理サーバ１００と通信装置１２０と接続している。図３に示す例では、通信装置１１０と管理サーバ１００は有線ネットワークで、通信装置１１０と通信装置１２０とは無線ネットワークで、それぞれ接続されている。
【００４４】
シーケンス番号送信手段１１１は、通信装置１１０の管理オブジェクトの状態変化があった際に管理サーバ１００に送るＴｒａｐに、シーケンス番号を付加して送信する。
【００４５】
通信Ｉ／Ｆ１１２は、通信装置１１０の各機能と、管理サーバ１００、通信装置１２０との通信を行う。
【００４６】
（通信断が発生した場合の動作）
ここで、管理サーバ１００が管理する通信装置のうち、いずれかとの通信が不通となった場合の動作について説明する。具体的には、図６を参照して、管理サーバ１００と通信装置１４０との通信が不通となった場合について説明する。
【００４７】
図６は、通信装置１３０と通信装置１４０との間の無線ネットワークに障害が発生した場合を示している。図６の状態では、管理サーバ１００は、通信装置１４０に加えて、通信装置１４０の後段である通信装置１５０および通信装置１６０とも通信を行うことができず、監視不能となっている。
【００４８】
通信装置１３０と通信装置１４０の間の無線ネットワークが復旧すると、管理サーバ１００は、通信装置１４０、通信装置１５０、通信装置１６０に対して、シーケンス番号を送信するよう要求を行う。要求を受けた各通信装置は、シーケンス番号、またはシーケンス番号を付与したＴｒａｐを送信し、管理サーバ１００に応答する。
【００４９】
そして、応答を受けた管理サーバ１００は、受信したシーケンス番号に基づいて、同期の必要性を判断する。
【００５０】
以降、上記の動作について、図７のシーケンスチャートおよび図８のフローチャートを参照して詳細に説明する。
【００５１】
図７は、図６の場合における、管理サーバ１００、通信装置１３０、通信装置１４０の動作を示すシーケンスチャートである。なお、通信装置１５０と通信装置１６０の動作は、通信装置１４０と同様であるので、図面および説明は省略する。
【００５２】
まず、通常時には、通信装置１４０のシーケンス番号送信手段１１１は、管理サーバ１００にシーケンス番号、あるいはシーケンス番号を含むＴｒａｐを送信する（Ｓ１０１）。
【００５３】
管理サーバ１００のシーケンス番号記憶手段１０２は、受信したシーケンス番号を記憶する（Ｓ１０２）。
【００５４】
次に、通信装置１３０と通信装置１４０との間で通信障害が発生した場合について説明する。なお、図７の斜線で示した時間帯に、通信断が発生しているものとする。
【００５５】
図７の例では、通信装置１３０は、定期的に通信装置１４０に接続確認を行っているとする（Ｓ１０３）。この接続確認により、通信断が検知されると、通信装置１３０は、管理サーバ１００に対して、通信不能通知を送信する（Ｓ１０４）。
【００５６】
管理サーバ１００は、通信不能通知を受信すると、通信不能となった通信装置１４０の状態を変更しなくなる。
【００５７】
なお、図７の例では、上述の通り、通信装置１３０が通信装置１４０に対して接続確認を行っていたが、管理サーバ１００が接続確認を行っても良い。
【００５８】
通信断が復旧すると、通信装置１４０は、管理サーバ１００に対して、通信装置１３０経由で接続通知を送信する（Ｓ１０５）。
【００５９】
通信装置１４０との接続が確認されると、管理サーバ１００の送信要求手段１０１は、通信装置１４０に対して、シーケンス番号の送信要求を行う（Ｓ１０６）。
【００６０】
通信装置１４０は、シーケンス番号の送信要求を受信すると、送信要求に対する応答を行う（Ｓ１０７）。この応答は、シーケンス番号そのものであっても良いし、シーケンス番号を含むＴｒａｐを送信しても良い。また、シーケンス番号は通信装置に１つが対応していなくても良く、決められた管理オブジェクトのセット毎に複数存在しても良い。
【００６１】
管理サーバ１００のシーケンス番号照合手段１０３は、シーケンス番号を受信すると、受信したシーケンス番号と、シーケンス番号記憶手段１０２で記憶しているシーケンス番号とを照合する。その後、同期手段１０４は、照合結果に基づいて、通信装置１４０の管理状態を同期する必要があるかどうかの判断を行う（Ｓ１０８）。Ｓ１０８の結果、必要と判断されれば、同期手段１０４は、通信装置１４０の状態に関する情報を取得し、同期を行う。
【００６２】
続いて、図８を参照して、管理サーバ１００の動作について詳細に説明する。図８は、管理サーバ１００の動作を示すフローチャートである。以下では、簡単のために、管理サーバ１００と通信装置１４０とで通信を行う場合について説明する。
【００６３】
まず、通信装置１４０の管理オブジェクトに状態変化が生じた場合、管理サーバ１００は、通信装置１４０から通信Ｉ／Ｆ１０６を介してシーケンス番号を受信する（Ｓ２０１）。このシーケンス番号は、シーケンス番号単独で通信されても良いし、Ｔｒａｐに含めて通信されても良い。
【００６４】
Ｓ２０１で受信したシーケンス番号は、シーケンス番号記憶手段１０２に記憶される（Ｓ２０２）。
【００６５】
続いて、管理サーバ１００は、通信装置１４０との接続が維持されているかどうか、確認を行う（Ｓ２０３）。Ｓ２０３の処理は、上述の図７のＳ１０３と同様の内容である。Ｓ２０３の処理は、図７のように、管理サーバ１００と通信装置１４０の間にある通信装置１３０が行っても良いし、図８のように管理サーバ１００が行っても良い。
【００６６】
Ｓ２０３の結果、管理サーバ１００は、通信装置１４０と接続していることが確認されれば、特に処理を行うことなく、シーケンス番号の受信を待つ。
【００６７】
一方、Ｓ２０３の結果、通信装置１４０との接続に障害が起こっていると判断された場合には、Ｓ２０４を行う。管理サーバ１００は、通信装置１４０から接続が復旧した旨の通知があるまで、待機する（Ｓ２０４）。また、このとき、管理サーバ１００は、通信装置１４０の管理状態を監視不能状態、または通信不能状態等に更新する。ある定められた時間内に通信装置１４０から復旧通知を受信しない場合には、再度通信装置１４０に対して接続確認を送信しても良い（Ｓ２０４：ＮＯ）。
【００６８】
通信装置１４０との接続が復旧した場合、送信要求手段１０１は、通信装置１４０に対してシーケンス番号送信要求を行う（Ｓ２０５）。
【００６９】
続いて、管理サーバ１００は、シーケンス番号送信要求に対する応答を受信する（Ｓ２０６）。この応答には、シーケンス番号が含まれている。
【００７０】
シーケンス番号照合手段１０３は、シーケンス番号を受信すると、シーケンス番号記憶手段１０２が記憶しているシーケンス番号との照合を行う。シーケンス番号の照合の結果、同期手段１０４は、通信装置１４０の管理状態を同期する必要があるかどうかを判断する（Ｓ２０７）。
【００７１】
Ｓ２０７の結果、通信装置１４０の管理状態を同期する必要があると判断された場合には、同期手段１０４は、通信装置１４０との同期を行い、処理を終了する（Ｓ２０８）。Ｓ２０８で通信装置１４０との同期を行う場合には、管理サーバ１００は通信装置１４０から全管理オブジェクトの情報を取得する。
【００７２】
一方、Ｓ２０７の結果、同期が必要ないと判断された場合には、同期を行わずに終了する。この場合、管理サーバ１００は、通信装置１４０の管理状態を、監視不能状態から、通信断前に保持していた管理状態に戻す。
【００７３】
（効果）
第２の実施形態によれば、管理サーバは、通信再開後に通信装置から受信するシーケンス番号の照合を行い、照合結果に基づいて通信装置との同期を行うかどうか判断する。
【００７４】
上記の動作により、通信再開後に、通信装置との同期が必要かどうかを判断することができる。従って、通信装置との同期の回数を削減することが可能となり、通信断の度に発生するネットワークの輻輳を軽減することが可能となる。
【００７５】
さらに、管理サーバは、通信切断中に通信装置の状態変化がなかった場合に、通信装置に状態を問い合わせることなく管理サーバが保持していた状態を画面表示等に反映させている。従って、管理サーバのオペレータは、同期にかかる時間のロスなく、リアルタイムに通信装置情報を確認することが可能となる。
【００７６】
＜第３の実施形態＞
次に、本発明による第３の実施形態について、図９を参照して説明する。第３の実施形態では、管理サーバ１００の画面表示についてさらに工夫している。管理サーバ１００や各通信装置の構成は、第２の実施形態と同様であるので、説明は省略する。
【００７７】
第３の実施形態の構成を図９に示す。図９は、管理サーバ１００の通信装置を監視制御する画面である。この画面は、表示手段１０５によって表示される。また、この画面では、監視中の通信装置をアイコン等で視覚的に示している。図９において、表示手段１０５は、通信断から復旧し、シーケンス番号確認中の通信装置のアイコンを特定の色（黒）に変化させている。
【００７８】
このように、第３の実施形態では、シーケンス番号確認中の装置の画面上のアイコンを特定の色に変化させている。よって、第３の実施形態では、処理動作が視覚的にわかりやすく、運用性が向上するという効果が得られる。
【００７９】
また、第３の実施形態において、シーケンス番号確認中の状態はアイコンの色を変化させるだけでなく、アイコンのタイプの変更や文字列による表現等で表しても良い。また、ログ等に表示しても良い。
【００８０】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００８１】
さらに、上記の実施形態の一部または全部は、以下の付記のようにも記載され得るが、以下には限られない。
【００８２】
（付記１）
ネットワーク上の通信装置を管理する管理装置であって、
前記管理装置は、
前記通信装置の管理状態に変化が発生するごとに前記通信装置から受信するシーケンス番号を記憶するシーケンス番号記憶手段と、
前記通信装置との通信が切断された後、再度通信可能となった場合に、前記シーケンス番号の送信を前記通信装置に対して要求する送信要求手段と、
前記通信装置から受信した前記シーケンス番号を、通信切断前に前記記憶手段に記憶したシーケンス番号と照合するシーケンス番号照合手段と、
前記照合結果に基づいて、前記通信装置との間で前記通信装置の管理状態の同期を行うかどうか判断する同期手段と、
を備えることを特徴とする管理装置。
【００８３】
（付記２）
前記同期手段は、
前記照合の結果、前記シーケンス番号に変化がない場合には、前記通信装置の管理状態を、保持していた管理状態に戻すことを特徴とする付記１に記載の管理装置。
【００８４】
（付記３）
前記同期手段は、
前記照合の結果、前記シーケンス番号に変化があった場合には、前記通信装置との同期を行い、前記通信装置の管理状態を更新することを特徴とする付記１または２に記載の管理装置。
【００８５】
（付記４）
前記管理装置は、さらに、
前記通信装置との通信が切断された後、再度通信可能となった場合に、前記シーケンス番号の送信要求を行っている前記通信装置を、他の通信装置との識別ができるように表示する表示手段を備えることを特徴とする付記１から４のいずれか１つに記載の管理装置。
【００８６】
（付記５）
ネットワーク上の通信装置と、前記ネットワークを介して前記通信装置を管理する管理装置とを備え、
前記管理装置は、
前記通信装置の管理状態に変化が発生するごとに前記通信装置から受信するシーケンス番号を記憶するシーケンス番号記憶手段と、
前記通信装置との通信が切断された後、再度通信可能となった場合に、前記シーケンス番号の送信を前記通信装置に対して要求する送信要求手段と、
前記通信装置から受信した前記シーケンス番号を、通信切断前に前記記憶手段に記憶したシーケンス番号と照合するシーケンス番号照合手段と、
前記照合結果に基づいて、前記通信装置との間で前記通信装置の管理状態の同期を行うかどうか判断する同期手段と、
を備えることを特徴とする通信システム。
【００８７】
（付記６）
前記同期手段は、
前記照合の結果、前記シーケンス番号に変化がない場合には、前記通信装置の管理状態を、保持していた管理状態に戻すことを特徴とする付記５に記載の通信システム。
【００８８】
（付記７）
前記同期手段は、
前記照合の結果、前記シーケンス番号に変化があった場合には、前記通信装置との同期を行い、前記通信装置の管理状態を更新することを特徴とする付記５または６に記載の通信システム。
【００８９】
（付記８）
前記管理装置は、さらに、
前記通信装置との通信が切断された後、再度通信可能となった場合に、前記シーケンス番号の送信要求を行っている前記通信装置を、他の通信装置との識別ができるように表示する表示手段を備えることを特徴とする付記５から７のいずれか１つに記載の通信システム。
【００９０】
（付記９）
前記通信装置は、
前記通信装置の状態が変化した場合に、前記管理装置に対して前記シーケンス番号を送信するシーケンス番号送信手段を備えることを特徴とする付記５から８のいずれか１つに記載の通信システム。
【００９１】
（付記１０）
ネットワークを介して管理する通信装置の管理状態に変化が発生するごとに前記通信装置から受信するシーケンス番号を記憶するシーケンス番号記憶ステップと、
前記通信装置との通信が切断された後、再度通信可能となった場合に、前記シーケンス番号の送信を前記通信装置に対して要求する送信要求ステップと、
前記通信装置から受信した前記シーケンス番号を、通信切断前に前記記憶したシーケンス番号と照合するシーケンス番号照合ステップと、
前記照合結果に基づいて、前記通信装置との間で前記通信装置の管理状態の同期を行うかどうか判断する同期ステップと、
を含むことを特徴とする通信方法。
【００９２】
（付記１１）
前記同期ステップは、
前記照合の結果、前記シーケンス番号に変化がない場合には、前記通信装置の管理状態を、保持していた管理状態に戻すことを特徴とする付記１０に記載の通信方法。
【００９３】
（付記１２）
前記同期ステップは、
前記照合の結果、前記シーケンス番号に変化があった場合には、前記通信装置との同期を行い、前記通信装置の管理状態を更新することを特徴とする付記１０または１１に記載の通信方法。
【００９４】
（付記１３）
前記通信方法は、さらに、
前記通信装置との通信が切断された後、再度通信可能となった場合に、前記シーケンス番号の送信要求を行っている前記通信装置を、他の通信装置との識別ができるように表示する表示ステップを含むことを特徴とする付記１０から１２のいずれか１つに記載の通信方法。
【符号の説明】
【００９５】
１００    管理サーバ
１０１、１００１    送信要求手段
１０２、１００２    シーケンス番号記憶手段
１０３、１００３    シーケンス番号照合手段
１０４、１００４    同期手段
１０５    表示手段
１０６、１１２    通信Ｉ／Ｆ
１１０、１２０、１３０、１４０、１５０、１６０、１１００    通信装置
１１１    シーケンス番号送信手段
１０００    管理装置
【図１】
2012257039.tif 000003
【図２】
2012257039.tif 000004
【図３】
2012257039.tif 000005
【図４】
2012257039.tif 000006
【図５】
2012257039.tif 000007
【図６】
2012257039.tif 000008
【図７】
2012257039.tif 000009
【図８】
2012257039.tif 000010
【図９】
2012257039.tif 000011